(57)【要約】【課題】基準コイルおよび測定コイルの二次コイルの差出力信号のピーク付近の大きさを簡易かつ確実に検出して、焼入れの良否判定を確実に行う。  【解決手段】一次コイル１１と二次コイル１２の間に、焼入れされた基準磁性体３を設置する基準コイル１と、一次コイル２１と二次コイル２２の間に焼入れされた検査磁性体４を設置する測定コイル２と、基準コイル１の二次コイル１２から出力される基準出力信号１ａと測定コイル２の二次コイル２２から出力される測定出力信号２ａの差出力信号６１ａを得る差動増幅回路６１と、基準出力信号１ａが零レベルを横切った時点でトリガーパルス信号６４ａを発する遅延回路６４と、トリガーパルス信号６４ａが発せられた時点から基準出力信号５ａの四半周期後の時点での差出力信号６１ａの大きさに基づいて検査磁性体４の焼入れの良否を判定する判定回路６６とを備える。  【選択図】        図１
2009168556.tif 000002
【特許請求の範囲】
【請求項１】
交流電源に接続されて励磁信号が印加される一次コイルと当該一次コイルに対向する二次コイルを備えて、これら一次コイルと二次コイルの間に、焼入れされた基準磁性体を設置する基準コイルと、前記交流電源に接続されて励磁信号が印加される一次コイルと当該一次コイルに対向する二次コイルを備えて、これら一次コイルと二次コイルの間に焼入れされた検査磁性体を設置する測定コイルと、前記基準コイルの二次コイルから出力される基準出力信号と前記測定コイルの二次コイルから出力される測定出力信号の差出力信号を得る演算手段と、前記基準出力信号が零レベルを横切った時点でタイミング信号を発するタイミング信号生成手段と、前記タイミング信号が発せられた時点から前記基準出力信号の四半周期後の時点での前期差出力信号の大きさに基づいて前記検査磁性体の焼入れの良否を判定する判定手段とを具備する焼入れ検査装置。  
【請求項２】
交流電源に接続されて励磁信号が印加される一次コイルと当該一次コイルに対向する二次コイルとで基準コイルを構成して、これら一次コイルと二次コイルの間に焼入れされた基準磁性体を設置し、前記交流電源に接続されて励磁信号が印加される一次コイルと当該一次コイルに対向する二次コイルとで測定コイルを構成して、これら一次コイルと二次コイルの間に焼入れされた検査磁性体を設置し、前記基準コイルの二次コイルから出力される基準出力信号と前記測定コイルの二次コイルから出力される測定出力信号の差に応じた差出力信号を得るとともに、前記基準出力信号が零レベルを横切った時点を検出して、当該時点から前記基準出力信号の四半周期後の時点での前記差出力信号の大きさに基づいて前記検査磁性体の焼入れの良否を判定することを特徴とする焼入れ検査方法。
【発明の詳細な説明】
【技術分野】
【０００１】
本発明は焼入れ検査装置および焼入れ検査方法に関し、特に、検査磁性体に渦電流を生じさせてその焼入れ度の良否を判定する焼入れ検査装置等に関する。
【背景技術】
【０００２】
一般に磁性体の焼入れ度（硬度）と透磁率は反比例し、焼入れ度が大きくなるほど透磁率は小さくなって、磁性体に生じる渦電流は大きくなる。そこで、交流電源に接続された一次コイルとこれに対向して設けられた二次コイルの間に、焼入れされた磁性体を介在させると、当該磁性体の焼入れ度に応じて二次コイルに生じる電圧が変化し、当該電圧値から磁性体の焼き入れ度を検出することができる。この場合、焼入れ度による透磁率変化以外の変動要因を排除して、適正な焼入れが行われたか否かを確実に判定するために、以下の方法が考えられる。
【０００３】
すなわち、図３に示すように、交流電源５からの励磁信号５ａが入力する一次コイル１１，２１と、二次コイル１２，２２で構成される同一構造の基準コイル１と測定コイル２を用意し、予め焼入れ度を測定し適正な焼入れをなされたことが確認されている基準磁性体３を基準コイル１内に設置するとともに、測定コイル２内には検査対象となる焼入れ磁性体（検査磁性体）４を設置する。そして、基準コイル１と測定コイル２の各二次コイルからの基準出力信号１ａと測定出力信号２ａを差動増幅回路６１に入力させて、差出力信号６１ａを得ることによって、適正な焼入れ度からのズレを判定する。なお、特許文献１には、渦電流によって焼入れ深さの測定を行う測定装置が開示されている。
【特許文献１】特開２００６−３３７２５０
【発明の開示】
【発明が解決しようとする課題】
【０００４】
しかし、基準コイル１および測定コイル２からの各出力信号１ａ，２ａは、励磁信号５ａに対して電圧のみならずその位相も変化した交流電圧となっており、差出力信号６１ａも同じく位相が変化し交流的に変化するものとなっているから、適正な焼入れ度からのズレを確実に判定するためには差出力信号６１ａのピーク付近の電圧値を検出することが必要である。
【０００５】
そこで、本発明はこのような要請に鑑みたもので、基準コイルおよび測定コイルの二次コイルの差出力信号のピーク付近の大きさを簡易かつ確実に検出して、焼入れの良否判定を確実に行うことができる焼入れ検査装置および焼入れ検査方法を提供することを目的とする。
【課題を解決するための手段】
【０００６】
上記目的を達成するために、本第１発明の焼入れ検査装置では、交流電源（５）に接続されて励磁信号（５ａ）が印加される一次コイル（１１）と当該一次コイル（１１）に対向する二次コイル（１２）を備えて、これら一次コイル（１１）と二次コイル（１２）の間に、焼入れされた基準磁性体（３）を設置する基準コイル（１）と、交流電源（５）に接続されて励磁信号（５ａ）が印加される一次コイル（２１）と当該一次コイル（２１）に対向する二次コイル（２２）を備えて、これら一次コイル（２１）と二次コイル（２２）の間に焼入れされた検査磁性体（４）を設置する測定コイル（２）と、基準コイル（１）の二次コイル（１２）から出力される基準出力信号（１ａ）と測定コイル（２）の二次コイル（２２）から出力される測定出力信号（２ａ）の差出力信号（６１ａ）を得る演算手段（６１）と、基準出力信号（１ａ）が零レベルを横切った時点でタイミング信号（６４ａ）を発するタイミング信号生成手段（６２，６３，６４）と、タイミング信号（６４ａ）が発せられた時点から基準出力信号（５ａ）の四半周期後の時点での差出力信号（６１ａ）の大きさに基づいて検査磁性体（４）の焼入れの良否を判定する判定手段（６５，６６）とを具備している。ここで、タイミング信号生成手段は、スライサー回路、エッジ検出回路および遅延回路で構成することができる。また、判定手段は、サンプルホールド回路と判定回路で構成することができる。
【０００７】
本第１発明において、差出力信号は励磁信号に対し位相が変化した状態でその大きさが周期的に変化するものとなっている。ここにおいて、基準信号出力が零レベルを横切った時点から当該基準信号出力の四半周期後の時点での差出力信号の大きさは、そのピーク付近の大きさになっているから、これに基づいて検査磁性体の焼入れの良否の判定を確実に行うことができる
【０００８】
本第２発明の焼入れ検査方法では、交流電源に接続されて励磁信号が印加される一次コイルと当該一次コイルに対向する二次コイルとで基準コイルを構成して、これら一次コイルと二次コイルの間に焼入れされた基準磁性体を設置し、上記交流電源に接続されて励磁信号が印加される一次コイルと当該一次コイルに対向する二次コイルとで測定コイルを構成して、これら一次コイルと二次コイルの間に焼入れされた検査磁性体を設置し、基準コイルの二次コイルから出力される基準出力信号と測定コイルの二次コイルから出力される測定出力信号の差に応じた差出力信号を得るとともに、基準出力信号が零レベルを横切った時点を検出して、当該時点から基準出力信号の四半周期後の時点での差出力信号の大きさに基づいて検査磁性体の焼入れの良否を判定する。このような本第２発明においても、本第１発明と同様の作用効果を得ることができる。
【０００９】
なお、上記カッコ内の符号は、後述する実施形態に記載の具体的手段との対応関係を示すものである。
【発明の効果】
【００１０】
以上のように、本発明の焼入れ検査装置および焼入れ検査方法によれば、基準コイルおよび測定コイルの二次コイルの差出力信号のピーク付近の大きさを簡易かつ確実に検出して、焼入れの良否判定を確実に行うことができる。
【発明を実施するための最良の形態】
【００１１】
図１には焼入れ検査装置のブロック構成図を示す。図１において、基準コイル１は円筒状の一次コイル１１と二次コイル１２で構成され、これらコイル１１，１２の筒内に、予め焼入れ度を測定し適正な焼入れをなされたことが確認されている基準磁性体３が設置されている。測定コイル２は、巻き数、径、長さを上記コイル１１，１２と同一にした円筒状の一次コイル２１と二次コイル２２で構成され、これらコイル２１，２２の筒内には、基準磁性体３と同材の、検査対象となる焼入れされた磁性体（検査磁性体）４が設置されている。基準コイル１と測定コイル２の各一次コイル１１，２１には共通の交流電源５から励磁信号５ａ（図２（１））が印加されている。励磁信号５ａの周波数は磁性体３，４の材質によって適宜変更するが、鉄の場合は１００Ｈｚ〜１ＫＨｚの間とする。
【００１２】
基準コイル１および測定コイル２の各二次コイル１２，２２からはそれぞれ、筒内に設置した基準磁性体３あるいは検査磁性体４の焼入れ度に応じた電圧値を有する基準出力信号１ａ（図２（２））と測定出力信号２ａ（図２（３））が出力される。これら出力信号１ａ，２ａは、磁性体３，４の焼入れ度に応じて振幅が変化すると同時に、その位相も変化している。すなわち例えば図２に示すように、出力信号１ａ，２ａはいずれも励磁信号５ａに対し、振幅が変化するとともに、略同一のθ程度の位相遅れを生じている。
【００１３】
上記基準出力信号１ａと測定出力信号２ａは差動増幅回路６１（図１）に入力しており、両出力信号１ａ，２ａの差出力信号６１ａ（図２（７））が差動増幅回路６１から出力される。この差出力信号６１ａは、適正な焼入れ度で焼入れされた基準磁性体３に対する、検査磁性体４の焼入れ度のズレを示している。したがって、差出力信号６１ａの振幅の大きさから検査磁性体３の焼入れ度の良否を判定することができる。ところが、この差出力信号６１ａは図２に示すように上記位相遅れθを有しつつその大きさ（電圧）が周期的に変化する正弦波となっている。このため、焼入れ度の良否を確実に判定するには、差出力信号６１ａのピークＳｐ付近の電圧値を検出する必要がある。そこで、本実施形態では以下の構成によってこれを実現している。  
【００１４】
すなわち、図１に示すように、差動増幅回路６１の後段にはサンプルホールド回路６５が設けてあり、これに差出力信号６１ａが入力している。一方、上記基準出力信号１ａはスライサー回路６２にも入力し、スライサー回路６２は基準出力信号１ａの電圧が零を超えてから再び零へ戻るまでの間「Ｈ」レベルとなる矩形波信号６２ａ（図２（４））を出力する。矩形波信号６２ａはエッジ検出回路６３に入力し、エッジ検出回路６３は上記矩形波信号６２ａの立ち上がりに同期したパルス信号６３ａ（図２（５））を出力する。パルス信号６３ａは遅延回路６４に入力し、遅延回路６４ではパルス信号６４ａを、基準出力信号１ａの位相のπ／２に相当する時間だけ遅延させてタイミング信号たるトリガパルス信号６４ａ（図２（６））として出力する。トリガパルス信号６４ａは上記サンプルホールド回路６５に入力し、この入力タイミングで差出力信号６１ａのピークＳｐ付近の電圧値がサンプルされて、比較出力信号６５ａ（図２（８））としてホールドされ、後段の判定回路６６へ出力される。
【００１５】
判定回路６６では、比較出力信号６５ａを所定の閾値ＴＨ１，ＴＨ２と比較して、上記信号６５ａの電圧値が閾値ＴＨ１，ＴＨ２の間にあれば「焼入れ良」と判定し、閾値ＴＨ１，ＴＨ２を超えた場合には「焼入れ不良」と判定する。比較出力信号が図２の実線で示すように正となる場合は、検査磁性体４の焼入れ度が基準磁性体３の焼入れ度よりも小さい場合である。本実施形態では比較出力信号６５ａは閾値ＴＨ１，ＴＨ２の間にあるから、判定は「焼入れ良」となる。検査磁性体４の焼入れ度が基準磁性体３の焼入れ度よりも大きい場合には、差出力信号６１ａおよび比較出力信号６５ａは図２の破線で示すようになる。なお、上記実施形態において、６１〜６６の各回路をコンピュータのソフトウエアで実現することもできる。
【図面の簡単な説明】
【００１６】
【図１】本発明の一実施形態を示す、焼入れ検査装置のブロック構成図である。
【図２】焼入れ検査装置の各回路の信号タイムチャートである。
【図３】従来装置のブロック構成図である。
【符号の説明】
【００１７】
１…基準コイル、１１…一次コイル、１２…二次コイル、２…測定コイル、２１…一次コイル、２２…二次コイル、３…基準磁性体、４…検査磁性体、５…交流電源、６１…差動増幅回路（演算手段）、６２…スライサー回路（タイミング信号生成手段）、６３…エッジ検出回路（タイミング信号生成手段）、６４…遅延回路（タイミング信号生成手段）、６５…サンプルホールド回路（判定手段）、６６…判定回路（判定手段）。
【図１】
2009168556.tif 000003
【図２】
2009168556.tif 000004
【図３】
2009168556.tif 000005